(57)【要約】【課題】複数の同種の筆記具の所有者を筆記具の外観を損ねることなく識別する手段を備え、複数の色彩の色合わせを実際に着色することなく行なえる手段を備えた筆記具を提供する。【解決手段】筆記具１のキャップ３に一体的に形成されたフック５の外表面に窪み７、８を形成し、その窪み内に丈の短い突起９、１０を形成する。この窪みに、それぞれ、フックの窪みの径に対応した外径を有し、フックの突起に対応した窪み１３、１４を備えたカラーチップ１１、１２を着脱自在に取付ける。【選択図】      図２
2004306489.tif 000002
【特許請求の範囲】
【請求項１】
筆記具において、該筆記具の外面上に色付きのチップが、前記筆記具の外面上と前記チップに互いに係合するように設けられた取付け機構によって、着脱自在に取付けられていることを特徴とする、筆記具。
【請求項２】
請求項１記載の筆記具において、前記チップは、筆記具のクリップの外面上に取付けられることを特徴とする、筆記具。
【請求項３】
請求項１又は２に記載の筆記具において、前記筆記具はカラー筆記具であることを特徴とする、筆記具。
【請求項４】
請求項３記載の筆記具において、前記チップは複数個取付けが可能であり、その複数個のチップの内少なくとも２個以上は互いに近接して配置され得るようになっていることを特徴とする、筆記具。
【請求項５】
筆記具において、所定の形状をし、係合手段を備えたチップを、前記チップの係合手段に係合して該筆記具の外面上に着脱自在に取り付ける係合手段を備えたことを特徴とする、筆記具。
【請求項６】
筆記具の外面上に取付けられるチップにおいて、前記筆記具の外面上に設けられた係合手段に係合して、該チップを前記筆記具に着脱自在に取付ける係合手段を備えたことを特徴とする、チップ。
【請求項７】
請求項６記載のチップにおいて、前記筆記具側の係合手段は複数個設けられ、前記チップは異なる色の複数個のチップの群からなることを特徴とする、チップ。
【発明の詳細な説明】
【０００１】
【発明の属する技術分野】
本発明は筆記具に関し、さらに詳細に言えば、カラーチップ付き筆記具及び筆記具に着脱自在に取付け可能なカラーチップに関する。
【０００２】
【従来の技術】
各種の筆記具が販売され、使用されているが、時には職場或いは教室などで同じ筆記具を所有している者が複数いる場合があり、いずれの筆記具がいずれの者の所有に係るものであるか判らなくなってしまう場合がある。筆記具にナイフなどで印を付けたりすれば識別も可能となるが、見映えが悪くなる。
【０００３】
又、カラー筆記具の場合、複数の色を使用して何かを描こうとする場合、どのような色を組合わせるのが良いのか、判断に迷う場合がある。紙に試し塗りをすれば良いが、その分インクが無駄になる。
【０００４】
例えば、実公平５−１４３２には、クリップ本体に取付けられるクリップ飾りが記載されているが、この飾りはメーカにより取り付けられるものであり、所有者を識別するマークとしては適切でない。また、取外しも出来ない。
【０００５】
【特許文献】
実公平５−１４３２（実公報第１頁及び２頁、図４）。
【０００６】
【発明が解決しようとする課題】
本願発明は上記従来技術の問題点に鑑みなされたものであり、所有者の識別を容易にしたり、実際に色塗りすることなく、配色を試すことの出来るカラーチップ付き筆記具及びそのような筆記具に着脱自在に取付け可能なカラーチップに関する。
【０００７】
【課題を解決するための手段】
上記課題を解決するために本願発明に係る筆記具では、該筆記具の外面上に色付きのチップが、その筆記具の外面上とチップに互いに係合するように設けられた取付け機構によって、着脱自在に取付けられている。
【０００８】
ある実施の形態では、そのチップは、筆記具のクリップの外面上に取付けられる。
【０００９】
他の実施の形態では、その筆記具はカラー筆記具である。
【００１０】
他の実施の形態では、そのチップは複数個取付けが可能であり、その複数個のチップの内の少なくとも２個以上は互いに近接して配置され得るようになっている。
【００１１】
本願発明はさらに以下の構成の筆記具を提供する。すなわち、その筆記具は、所定の形状をし、係合手段を備えたチップを、そのチップの係合手段に係合して該筆記具の外面上に着脱自在に取り付ける係合手段を備えている。
【００１２】
本願発明はさらに以下のチップを提供する。すなわち、筆記具の外面上に取付けられるチップであり、そのチップは、筆記具の外面上に設けられた係合手段に係合して、該チップをその筆記具に着脱自在に取付ける係合手段を備えている。
【００１３】
ある実施の形態では、筆記具側の係合手段は複数個設けられ、チップは異なる色の複数個のチップの群からなっている。
【００１４】
【発明の実施の形態】
以下、本願発明の具体的実施の形態を図面を参照して説明するが、本願発明の範囲が以下に説明される実施の形態に限定されるものではない。
【００１５】
図１は第１の実施の形態にかかる筆記具、具体的にはカラーのマーキングペン１の平面図であり、図２は側面図である。図３は図１におけるＡ−Ａ線に沿っての断面図であり、後述のクリップ５の部分だけを示している。そして図４は、後述のカラーチップを外した状態を示す平面図である。
【００１６】
図において符号２はペン本体であり、符号３はキャップである。キャップ３は、その上端側に設けられた取付け部４を介して一体的に形成されたクリップ５を備えている。クリップ５は本体２或いはキャップ３の長手方向に伸びる細長い板状に形成され、取付け部４を支点にして若干の弾性変形が可能である。そしてその下端側内面側にはクリップ玉部６が形成されている。
【００１７】
クリップ５の外面側には、その上端側に１個の円形の窪み７、下端側にはクリップ５の長手方向に並んで互いに近接して３個の円形の窪み８ａ、８ｂ、８ｃが形成されている。これら窪み７、８の直径はクリップ５の幅より若干長い。そして窪み７、８の中央には、丈の短い突起９、１０ａ、ｂ、ｃが設けられている。
【００１８】
符号１１は窪み７に、符号１２ａ、ｂ、ｃはそれぞれ窪み８ａ、ｂ、ｃに取付けられる円形薄板状のカラーチップである。カラーチップ１１、１２の外径はそれぞれが嵌る窪みの径に対して若干大きめに作られている。また、それぞれのカラーチップ１１、１２の下面側中央には、それぞれが対応する突起９、１０にややきつめに嵌る窪み１３、１４ａ、ｂ、ｃが形成されている。
【００１９】
これらカラーチップ１１、１２の内、クリップ５の上端側に取付けられるカラーチップ１１は、使用者により適宜の色のカラーチップが選択され、所有者識別の為に使用されると好都合である。一方下端側に取付けられるカラーチップ１２ａ、ｂ、ｃは互いに近接して配置されるので、使用者が描こうとしている図柄などの配色を決めるための色合わせなどに使用すると好都合である。すなわち、順次カラーチップ１２ａ、ｂ、ｃを異なる色のカラーチップと取り替えて色合わせを行ない、好ましい配色を決定することが出来る。
【００２０】
カラーチップ１１、１２は前述の通り窪み７、８へきつめに嵌合して、簡単には脱落しないようになっているが、窪み７、８の径従ってカラーチップ１１、１２の外径がクリップ５の幅より若干長くなっているので、取付けら時にカラーチップ１１、１２の外周部が少しではあるがクリップ５の外形縁部から突出するので、その部分に爪の先端を掛けるなどして外すことが出来る。
【００２１】
上記説明において、カラーチップ１１、１２はクリップ５の外表面上に取付けるものとして説明したが、それに限定されない。例えば、所有者識別用のカラーチップ１１は、キャップ３の上端面上に取付けられても良い。また、カラーチップ１２ａ、ｂ、ｃはキャップ３の外周上に取付けられても良い。ただし、その場合であってもこれらカラーチップ１２ａ、ｂ、ｃは互いに近接して配置されることが望ましい。
【００２２】
図５は第２の実施の形態で使用するカラーチップ２１の平面図であり、図６は図５のＢ−Ｂ断面図である。なお、図６においては対応するクリップ２５を二点鎖線で示してある。
【００２３】
この実施例でのカラーチップ２１は平面外形形状が正方形で、薄板状の形をしている。そしてその下面側には、外形形状と略相似形である正方形の窪み２２が形成されている。一方クリップ２５の外面２６上には、窪み２２ときつく嵌合する正方形の丈の短い突起２７が形成されている。取付けるカラーチップ２１、それに対応する突起２７の数は適宜選択して決定すれば良い。
【００２４】
【発明の効果】
以上説明した通り、本発明によれば、適宜の色のチップを筆記具に取付けることにより、同種の筆記具を所有するものが複数いる場合の所有者識別を、筆記具の外観を損ねることなく行なうことが出来る。また、複数のチップを隣接して配置可能とすることにより、図柄などを描く際に、わざわざ実際に筆記具で着色することなく、チップを交換しながら取付けることにより色合わせを行なうことが出来る。
【図面の簡単な説明】
【図１】本発明の具体的実施の形態に係る筆記具の平面図である。
【図２】側面図である。
【図３】図１のＡ−Ａ線に沿っての断面図で、クリップの部分のみを図示してある。
【図４】チップを外した状態での平面図である。
【図５】第２の実施の形態に係る筆記具に使用するチップの平面図である。
【図６】図５のＢ−Ｂ線に沿っての断面図であり、クリップの一部分を併せて図示してある。
【符号の説明】
１  筆記具（マーキングペン）
２  ペン本体
３  キャップ
４  取付け部
５  クリップ
６  クリップ玉部
７  窪み
８ａ、ｂ、ｃ  窪み
９  突起
１０ａ、ｂ、ｃ  突起
１１  カラーチップ
１２ａ、ｂ、ｃ  カラーチップ
１３  窪み
１４ａ、ｂ、ｃ  窪み
【図１】
2004306489.tif 000003
【図２】
2004306489.tif 000004
【図３】
2004306489.tif 000005
【図４】
2004306489.tif 000006
【図５】
2004306489.tif 000007
【図６】
2004306489.tif 000008